(57)【要約】【課題】棚板を前方に引出したときに、棚板の後端側への商品の補充を容易に行うことのできるショーケースの棚構造を提供する。【解決手段】傾斜した状態の棚板３０を前方に移動させると、棚板３０が略水平になるようにしたので、棚板３０を前方に移動させた際、棚板３０の上方に商品を陳列する際に必要な空間を十分に確保することができ、棚板３０の後端側への商品の陳列作業を容易に行うことができる。また、棚受４０に、棚板３０の下面の後端側が摺動する支持板４５を設けたので、棚板３０を前方に移動させた際、棚板３０の下面の後端側が支持板４５の上面に沿って摺動することによって棚板３０を略水平にすることができ、棚板３０の後端側への商品の陳列作業を容易に行うことができる。【選択図】図３
2005124802.tif 000002
【特許請求の範囲】
【請求項１】
商品を載置する棚板と、棚板を前後方向に移動自在に支持する棚受とを備え、棚板を商品載置面が前下りに傾斜するように設けたショーケースの棚構造において、
前記棚板を前方に移動させると棚板の商品載置面が略水平をなすように棚板を傾動させる傾動手段を備えた
ことを特徴とするショーケースの棚構造。
【請求項２】
前記傾動手段を、棚板の下面後端側を摺動自在に支持する前下りに傾斜した支持部材により構成した
ことを特徴とする請求項１記載のショーケースの棚構造。
【請求項３】
前記支持部材の傾斜角度を任意に変更可能に構成した
ことを特徴とする請求項２記載のショーケースの棚構造。
【請求項４】
前記支持部材に互いに上下方向に間隔をおいて設けられた複数の係合部と、棚受に設けられた係合部材とを備え、
係合部材を任意の係合部に係合することにより支持部材の傾斜角度を変更可能に構成した
ことを特徴とする請求項３記載のショーケースの棚構造。
【請求項５】
前記棚板の商品載置面が略水平状態から支持部材の後端側を上方に移動させると、所定の係合部に係合部材が係合するように構成した
ことを特徴とする請求項４記載のショーケースの棚構造。
【請求項６】
前記棚受に棚板の前方への移動を規制するロック部材を回動自在に設け、
ロック部材を自重によって棚板の移動を規制する位置まで回動ように構成した
ことを特徴とする請求項１、２、３、４または５記載のショーケースの棚構造。
【発明の詳細な説明】
【技術分野】
【０００１】
本発明は、冷凍または冷蔵の商品を陳列するショーケースの棚構造に関するものである。
【背景技術】
【０００２】
従来、この種のショーケースの棚構造としては、商品棚の棚板をショーケース本体の前後方向に移動自在に設け、棚板を前方に引出すことにより、例えば先に陳列されている商品の後方に新たな商品を補充できるようにしたものが知られている。
【０００３】
また、前記商品棚の商品載置面を前下りに傾斜させるように構成し、棚板に載置された商品を棚板の傾斜方向に移動させることにより、常に商品が棚板の前端側に位置するようにしたものが知られている（例えば、特許文献１参照）。
【特許文献１】特開２００２−２７２５６８号公報
【発明の開示】
【発明が解決しようとする課題】
【０００４】
しかしながら、従来のショーケースの棚構造では、棚板を支持する棚受に棚板を傾斜させてボルト等で固定したり、商品棚全体を傾斜させてショーケース本体に取付けるようにしているため、棚板を前方に引出した場合に、傾斜した状態で棚板が引出されることから、棚板の後端側に商品を補充する際に、上方の棚と接触して陳列作業が困難になるという問題点があった。
【０００５】
また、商品棚の長期間の使用により棚板上面の滑りが悪くなったり、商品の形状や重さによって棚板の前端側に商品を移動させることができない場合など、棚板の傾斜角度を変更したい場合でも、棚板には商品が陳列されているため、商品載置面の傾斜角度を容易に変更することができないという問題点があった。
【０００６】
本発明は前記問題点に鑑みてなされたものであり、その目的とするところは、棚板を前方に引出したときに、棚板の後端側への商品の補充を容易に行うことのできるショーケースの棚構造を提供することにある。
【０００７】
また、本発明の他の目的とするところは、前記目的に加え、商品が陳列された状態でも棚板の傾斜角度を容易に変更することのできるショーケースの棚構造を提供することにある。
【課題を解決するための手段】
【０００８】
本発明は前記目的を達成するために、商品を載置する棚板と、棚板を前後方向に移動自在に支持する棚受とを備え、棚板を商品載置面が前下りに傾斜するように設けたショーケースの棚構造において、前記棚板を前方に移動させると棚板の商品載置面が略水平をなすように棚板を傾動させる傾動手段を備えている。これにより、棚板を前方に移動させた際に商品載置面が略水平になることから、棚板の上方に商品を陳列する際に必要な空間を確保することが可能となる。
【０００９】
また、本発明は、前記構成において、前記傾動手段を、棚板の下面後端側を摺動自在に支持する前下りに傾斜した支持部材により構成し、前記支持部材の傾斜角度を任意に変更可能に構成している。これにより、前記作用に加え、商品が棚板に載置されていても、棚板を前方に引出せば商品の荷重が支持部材に加わることがない。
【発明の効果】
【００１０】
本発明によれば、棚板を前方に移動させた際、棚板に商品を陳列する際に必要な空間を確保することができるので、棚板の後端側への商品の陳列作業を容易に行うことができる。
【００１１】
また、棚板の摩擦抵抗及び、棚板に載置する商品の重量に拘らず、商品を棚板の前端側に移動させることができるので、ショーケースの長期的の使用による棚板の摩擦抵抗の増加及び商品の重量に対応した傾斜角度を得ることができる。
【発明を実施するための最良の形態】
【００１２】
図１乃至図１０は本発明の一実施形態を示すもので、図１はショーケースの全体斜視図、図２は商品棚の斜視図、図３は商品棚の棚板を引出した状態を示す斜視図、図４は棚受の斜視図、図５は可動側部材を引出した状態の棚受の斜視図、図６は傾斜機構を示す斜視図、図７は傾斜機構の分解斜視図、図８は傾斜の状態を示す商品棚の側面図、図９及び図１０は商品棚の引出し動作を示す側面断面図である。
【００１３】
このショーケースは、前面を開口したショーケース本体１０と、ショーケース本体１０に上下複数段に配置された商品棚２０とから構成されている。
【００１４】
ショーケース本体１０は内側に商品収納部１１を有し、商品収納部１１内は図示しない冷却装置によって冷却されるようになっている。また、商品収納部１１内には各商品棚２０を支持するための上下方向に延びる左右一対の棚柱１２が設けられ、各棚柱１２には多数の取付孔１２ａが上下方向に間隔をおいて設けられている。
【００１５】
各商品棚２０は商品を載置する棚板３０と、棚板３０の左右両端を支持する一対の棚受４０とから構成されている。
【００１６】
棚板３０は商品の落下を防止するための棚ガード３１が周端側に配置され、前端側にはプライスカード等を保持するカード保持部３２が設けられている。また、棚板３０の下面の前端側には、左右方向に延びる棒状の部材の両端側を屈曲することにより、棚受４０に係止される係止部材３３が設けられている。
【００１７】
各棚受４０は、ショーケース本体１０に取付けられる固定側部材４１と、棚板３０の前端側が係合され、前後方向に移動する可動側部材４２と、棚板３０を任意の角度に傾斜させる傾斜機構４３とから構成され、可動側部材４２は周知のスライドレール４４を介して固定側部材４１に連結されている。
【００１８】
固定側部材４１は前後方向に延びる板状の部材からなり、その前端側には可動側部材４２の前方への移動を規制するロック部材４１ａが設けられている。ロック部材４１ａは前後方向に延びる板状の部材からなり、前端側の上端の一部を外側面に屈曲されることにより、操作部４１ｂを形成している。ロック部材４１ａの後端側は下端の一部を内側面に屈曲されることにより係止部４１ｃを形成しており、係止部４１ｃは可動側部材４２に固定されているスライドレール４４の前面に当接するようになっている。ロック部材４１ａは後端側を支軸４１ｄを介して固定側部材４１に回動自在に連結され、前端側が自重によって下方に回動するようになっている。また、固定側部材４１の後端側には棚柱１２の取付孔１２ａに係合する係合片４１ｅが設けられ、係合片４１ｅによって商品棚２０が商品収納部１１内の任意の高さ位置に取付けられるようになっている。
【００１９】
可動側部材４２は、前後方向に延びる板状の部材からなり、前端側の上部にはクランク状に切欠かれ、棚板３０の係止部材３３と係合して棚板３０を係止する係止部４２ａが設けられている。
【００２０】
傾斜機構４３は、棚板３０を傾斜させる支持板４５と、支持板４５を任意の位置で保持する支持板保持部材４６から構成されている。支持板４５は、固定側部材４１の外側面及び上面を覆うように断面Ｌ字状に形成された前後方向に延びる部材からなり、上面には棚板４０の下面が摺動する棚摺動部４５ａが設けられている。棚摺動部４５ａには、棚板４０の摺動を円滑にするためのフィルム状の部材等が用いられる。また、支持板４５の後端側には、上下方向に延びる円弧状の長孔４５ｂが設けられ、長孔４５ｂは固定側部材４１の後端側に支軸４５ｃを介して連結されている。更に、支持板４５は、前端側を支軸４５ｄを介して固定側部材４１の前端側に上下方向に回動自在に連結され、後端側の長孔４５ｂの範囲内で回動するようになっている。また、支持板４５の後端側の側面には支持板保持部材４６と係合する係合孔４５ｄが上下方向に間隔をおいて２箇所設けられている。支持板保持部材４６は棒状の部材からなり、その一端側を固定側部材４１の側面に設けられた孔４６ａに挿入され、その他端側を固定側部材４１の内側面に設けられたバネ受４６ｂの孔４６ｃに挿入されている。また支持板保持部材４６はコイルバネ４６ｄを挿通され、固定側部材４１とコイルバネ４６ｄの間にとめ輪４６ｅを取付けることにより、固定側部材４１側への挿入位置を規制されている。これにより、棚板３０の商品載置面の傾斜角度は、図８の（ａ）に示すように支持板保持部材４６が支持板４５の内側面に当接する状態で水平面、図８の（ｂ）に示すように支持板保持部材４６が支持板４５の上部の係合孔４５ｄと係合することにより得られる第１の傾斜角度、図８の（ｃ）に示すように支持板保持部材４６が支持板４５の下部の係合孔４５ｄと係合することにより得られる第２の傾斜角度及び図８の（ｄ）に示すように支持板保持部材４６が支持板４５の下部に位置することにより得られる第３の傾斜角度に設定可能となる。
【００２１】
以上のように構成されたショーケースの棚構造において、棚板３０が水平面を形成しているときに傾斜角度の変更を行う場合は、その状態から支持板４５の後端側を上方に持上げると、支持板４５が上方に移動し、支持板保持部材４６が上部の係合孔４５ｄに係合することにより、第１の傾斜角度で棚板が固定される。また、棚板３０の商品載置面が第１〜第３の傾斜角度のときは、商品棚２０の下面から左右両側面に位置する各支持板保持部材４６をそれぞれ内面方向に操作することにより、支持板４５との係合が解除され、傾斜角度の変更が可能となる。
【００２２】
また、棚板３０を前方に引出す場合は、図９に示すように、ロック部材４１ａの操作部４１ｂを上方へ押上げることにより、係止部４１ｃが下方に回動して、可動側部材４２に固定されているスライドレール４４の前面との当接が解除され、棚板３０の前方への移動が可能となる。このとき、棚板３０は、図１０に示すように、前端側が可動側部材４２と係合するとともに、棚摺動部４５ａを摺動しながら引出されるため、引出された棚板３０の商品載置面は第１〜第３の傾斜角度に拘らず略水平となる。また、棚板３０を後方に移動すると、可動側部材４２に固定されているスライドレール４４の下面がロック部材４１ａの係止部４１ｃと当接しながら後方に移動し、スライドレール４４の前方に係止部４１ｃが位置することにより、係止部４１ｃによって棚板２１の前方への移動が規制される。
【００２３】
また、棚板３０を前方に引出すことにより、商品棚２０の上面からも支持板保持部材４６の操作が可能となり、傾斜角度の変更が可能となる。
【００２４】
このように、本実施形態の棚構造によれば、傾斜した状態の棚板３０を前方に移動させると、棚板３０が略水平になるようにしたので、棚板３０を前方に移動させた際、棚板３０の上方に商品を陳列する際に必要な空間を十分に確保することができ、棚板３０の後端側への商品の陳列作業を容易に行うことができる。
【００２５】
また、棚受４０に、棚板３０の下面の後端側が摺動する支持板４５を設けたので、棚板３０を前方に移動させた際、棚板３０の下面の後端側が支持板４５の上面に沿って摺動することによって棚板３０を略水平にすることができ、棚板３０の後端側への商品の陳列作業を容易に行うことができる。
【００２６】
また、支持板４５の傾斜角度を任意に変更可能に構成したので、棚板３０の摩擦抵抗及び、棚板３０に載置する商品の重量に拘らず、商品を棚板３０の前端側に移動させることができ、ショーケースの長期的の使用による棚板３０の摩擦抵抗の増加及び商品の重量に対応した傾斜角度を得ることができる。
【００２７】
また、支持板４５に設けられた２箇所の係合孔４５ｄと棚受に設けられた支持板保持部材４６との係合を変更することにより、支持板４５の棚受４０に対する傾斜角度を変更するようにしたので、簡単な構造で支持板４５の傾斜角度を変更することができる。その際、商品が棚板３０に載置されていても、棚板３０を前方に引出せば商品の荷重が支持板４５に加わることがないので、棚板３０の傾斜角度を容易に変更することができる。
【００２８】
また、棚板３０が水平な状態から支持板４５の後端側を上方に移動させると、下方の係合孔４５ｄと支持板保持部材４６が係合するようにしたので、支持板４５を上方へ持上げる操作のみで棚板３０を第１の傾斜角度で固定することができ、簡単な操作で操作により棚板３０を容易に傾斜させることが可能となる。
【００２９】
また、棚板３０の前方への移動を規制するロック部材４１ａを棚受４０に回動自在に設け、ロック部材４１ａを自重によって棚板３０の移動を規制する位置まで回動させるようにしたので、スプリング等の付勢部材を用いることなく、棚板３０の前方への移動を規制することができ、部品点数を減らすことができるとともに、棚板３０の前後方向への移動の規制を確実に行うことができる。
【図面の簡単な説明】
【００３０】
【図１】本発明の一実施形態を示すショーケースの全体斜視図
【図２】商品棚の斜視図
【図３】商品棚の棚板を引出した状態を示す斜視図
【図４】棚受の斜視図
【図５】可動側部材を引出した状態を示す棚受の斜視図
【図６】傾斜機構を示す斜視図
【図７】傾斜機構の分解斜視図
【図８】傾斜の状態を示す商品棚の側面図
【図９】商品棚の引出し動作を示す側面断面図
【図１０】商品棚の引出し動作を示す側面断面図
【符号の説明】
【００３１】
３０…棚板、４０…棚受、ロック部材…４１ａ、４３…傾斜機構、４５…支持板、４５ｄ…係合孔、４６…支持板保持部材。
【図１】
2005124802.tif 000003
【図２】
2005124802.tif 000004
【図３】
2005124802.tif 000005
【図４】
2005124802.tif 000006
【図５】
2005124802.tif 000007
【図６】
2005124802.tif 000008
【図７】
2005124802.tif 000009
【図８】
2005124802.tif 000010
【図９】
2005124802.tif 000011
【図１０】
2005124802.tif 000012